(57)【要約】【課題】内袋に設けた注出口を簡便に、内容物が漏れ出ないように封じることができる内袋付き容器を提供する。【解決手段】上面に開口を有する外箱１と、その内部に収容された内袋２とを備え、該内袋２の上部の隅部を切断して注出口２１とする内袋付き容器であって、外箱１の一側壁の上端部に折れ線１０Ａを介して延設された保持片１１と、保持片１１の、前記側壁との境界部分に設けられた注出口２１を挿入するための挿入孔１１１と、前記側壁に隣接する別の側壁の上端部に延設された、保持片１１の上に重なった状態で外箱１の上面開口を塞ぐ蓋フラップ１４とを有するもの。この内袋付き容器では、注出口２１を挿入孔１１１に挿入して蓋フラップ１４を閉じるだけで、簡便に注出口２１の封ができる。また、注出口２１が保持片１１に保持されるため、注出口２１の位置が下がってきて内容物が漏れ出てしまうことを防止することができる。【選択図】図１
2014227223.tif 000002
【特許請求の範囲】
【請求項１】
上面に開口を有する外箱と、その内部に収容された内袋とを備え、該内袋の上部の隅部を切断して注出口とする内袋付き容器において、
前記外箱の一側壁の上端部に折れ線を介して延設された保持片と、
前記保持片の、前記側壁との境界部分に設けられた前記注出口を挿入するための挿入孔と、
前記側壁に隣接する別の側壁の上端部に延設された、前記保持片の上に重なった状態で前記開口を塞ぐ蓋フラップと
を有することを特徴とする内袋付き容器。
【請求項２】
前記外箱が、隣接する２つの側壁をまたいでそれらの上端部に折れ線を介して延設され、また、互いに折れ線を介して接続された注出支片を有することを特徴とする請求項１に記載の内袋付き容器。
【請求項３】
前記注出支片が前記保持片を兼ねることを特徴とする請求項２に記載の内袋付き容器。
【請求項４】
前記外箱と前記内袋が互いに接着されていることを特徴とする請求項１〜３のいずれかに記載の内袋付き容器。
【発明の詳細な説明】
【技術分野】
【０００１】
本発明は、液体や粉体等の流動体が収容される内袋と、それを収容する外箱とを備える内袋付き容器に関する。
【背景技術】
【０００２】
段ボール箱は軽量で、折り畳みや組み立てが容易であり、強度や衝撃吸収性等に優れているため、様々な商品の包装容器として広く利用されている。しかし、組み合わせた部分に隙間が生じる、耐水性がない等の理由から、液体や粉体等の流動体の収容には適さない。そこで、プラスチックフィルム製の内袋を段ボール箱の内部に取り付けた内袋付き容器が提案されている（例えば特許文献１）。
【先行技術文献】
【特許文献】
【０００３】
【特許文献１】特開2007-276834号公報
【発明の概要】
【発明が解決しようとする課題】
【０００４】
特許文献１の内袋付き容器では、段ボール箱の蓋部（天板）を開き、それにより現れた内袋の上部の隅部を切り取り、それを注出口として内容物（流動体）を注ぎ出す。内容物が残った場合は、内容物が乾燥したり変質したりすることを防ぐために、輪ゴムや紐、針金等で内袋の注出口を縛った状態で保管する。
【０００５】
ところが、上記構成では、注出口を縛るための輪ゴム等を用意する必要がある。また、保管中に注出口の位置が下がってきて、内容物が漏れ出てしまうことがあった。
【０００６】
本発明が解決しようとする課題は、内袋に設けた注出口を簡便に、また、内容物が漏れ出ないように封じることができる内袋付き容器を提供することである。
【課題を解決するための手段】
【０００７】
上記課題を解決するために成された本発明は、
上面に開口を有する外箱と、その内部に収容された内袋とを備え、該内袋の上部の隅部を切断して注出口とする内袋付き容器において、
前記外箱の一側壁の上端部に折れ線を介して延設された保持片と、
前記保持片の、前記側壁との境界部分に設けられた前記注出口を挿入するための挿入孔と、
前記側壁に隣接する別の側壁の上端部に延設された、前記保持片の上に重なった状態で前記開口を塞ぐ蓋フラップと
を有することを特徴とする。
【０００８】
本発明に係る内袋付き容器では、内袋に設けられた注出口に封をするときには、外箱の一側壁の上端部に折れ線を介して延設された保持片の、該側壁との境界部分に設けられた挿入孔に該注出口を挿入する。これにより、注出口が保持片に保持される。こうして注出口を保持した保持片を前記折れ線で折り曲げ、その上に、隣接する別の側壁の上端部に延設された蓋フラップを重ねて、外箱の開口を閉じる。これにより、保持片が設けられた側壁の上端部と蓋フラップの間に注出口が挟まれ、該注出口が封じられる。
【０００９】
このように、本発明に係る内袋付き容器では、保持片に設けられた挿入孔に注出口を挿入して蓋フラップを閉じるだけで、簡便に注出口の封ができる。また、注出口が保持片に保持されるため、注出口の位置が下がってきて内容物が外箱内に漏れ出てしまうことを防止することができる。
【００１０】
前記外箱と前記内袋は、接着剤等により互いに接着されていても良い。こうすることにより、外箱を傾けて、内袋に収容された内容物を注出する際に、内容物と共に内袋が外箱から落下してしまうことを防止することができる。
【００１１】
前記外箱は、隣接する２つの側壁をまたいでそれらの上端部に折れ線を介して延設され、また、互いに折れ線を介して接続された注出支片を有することが望ましい。この注出支片を前記開口から突出させた状態でその上に注出口を載置すれば、外箱を傾けて内袋の内容物を注出するときに、注出口がそれにより保持されて安定すると共に、液だれが生じにくくなる。注出後は、該注出支片を内側に折り込むことにより、蓋フラップで外箱の開口を閉じることができる。
【００１２】
前記注出支片が前記保持片を兼ねていても良い。この場合、前記挿入孔は、前記注出支片の下端部（側壁の上端部との境界部分）に設ける。
【００１３】
前記外箱には、段ボール箱を用いることが望ましい。前記のように段ボール箱は強度や衝撃吸収性等に優れているため、流動体を保管するための容器として適している。
【発明の効果】
【００１４】
本発明に係る内袋付き容器では、内袋の注出口を挿入孔に挿入して蓋フラップを閉じるだけで、簡便に注出口の封ができる。また、注出口が保持片に保持されるため、注出口の位置が下がってきて内容物が外箱内に漏れ出てしまうことを防止することができる。
【図面の簡単な説明】
【００１５】
【図１】本発明の第１実施例の内袋付き容器の斜視図。
【図２】注出口に封をするときの説明図。
【図３】本発明の第２実施例の内袋付き容器の斜視図。
【図４】第２実施例の内袋付き容器から内容物を注出するときの説明図であり、(a)は斜視図、(b)及び(d)は側面図、(c)は上面図。
【図５】第２実施例の内袋付き容器において、内袋に設けた注出口に封をするときの説明図。
【図６】第２実施例の内袋付き容器の変形例の説明図。
【発明を実施するための形態】
【００１６】
本発明に係る内袋付き容器の実施例を図面を参照して説明する。
【実施例１】
【００１７】
図１は、第１実施例の内袋付き容器の斜視図である。この内袋付き容器は、上面に開口を有する外箱１とそれに収容される内袋２から成る。内袋２は、プラスチックフィルム等の液密性の高い材料から成り、その中には液体や粉体等の流動体が収容されている。また、内袋２は外箱１の内部の側面及び底面に、接着剤等により接着されている。
【００１８】
外箱１は、直方体状に製函された段ボール箱であり、上面開口の４つの側壁には、折れ線１０Ａ〜１０Ｄを介して右半片（保持片）１１、左半片１２、中板１３、蓋フラップ（天板）１４がそれぞれ延設されている。中板１３には、側壁との境界部分に長方形状の切り抜き（差し込み口１３１）が設けられている。左半片１２には、その上に中板１３が重ねられたときの差し込み口１３１の位置に切り抜き（差し込み口１２１）が設けられている。蓋フラップ１４には、差し込み口１２１、１３１に差し込まれる舌片１４１が設けられている。
【００１９】
右半片１１には、本発明に特徴的な構成として、側壁との境界部分に半円状の挿入孔１１１が設けられている。以下、本実施例の内袋付き容器の使用方法について簡単に説明する。
【００２０】
この内袋付き容器では、外箱１の蓋フラップ１４と中板１３をこの順に開き、それから左半片１２と右半片１１を左右に開き、それにより現れた内袋２の上部の隅部を、例えば図中の破線Ａに沿って切断して、注出口２１を形成する。そして、内袋２ごと外箱１を傾け、注出口２１から内容物（流動体）を注出する。
【００２１】
内容物を注出した後は、上記のように形成した注出口２１を右半片１１の挿入孔１１１に挿入する（図２(a)）。この状態で右半片１１と左半片１２を閉じ、次いで中板１３を閉じ、最後に蓋フラップ１４を閉じて舌片１４１を差し込み口１２１、１３１に差し込む（図２(b)）。これにより、注出口２１が、右半片１１が設けられた側壁の上端部と中板１３及び蓋フラップ１４の間に挟持されたうえで固定され、注出口２１に封がされる。
【００２２】
このように、本実施例の内袋付き容器では、挿入孔１１１に注出口２１を挿入し、挿入孔１１１が設けられた右半片（保持片）１１の上から蓋フラップ１４を重ねて閉じるだけで、簡便に注出口２１の封を行うことができる。また、注出口２１が右半片１１に保持されるため、注出口２１の位置が下がってきて内容物が外箱１内に漏れ出てしまうことを防止することができる。
【００２３】
次に内容物を取り出す際には、蓋フラップ１４と中板１３を開き、挿入孔１１１から注出口２１を抜くだけで良い。
【００２４】
本実施例の内袋付き容器では、内袋２を外箱１に接着していたが、これらは互いに接着されていなくても良い。その場合、内袋２を外箱１の外に出して内容物を取り出し、その後、内袋２を外箱１の中に収容して、上記のように注出口２１の封を行えば良い。
【実施例２】
【００２５】
図３は、第２実施例の内袋付き容器の斜視図である。本実施例の内袋付き容器は、外箱１の隣接する２つの側壁をまたぐ注出支片３０が設けられている。注出支片３０は、折れ線１０Ａに接する面３１と折れ線１０Ｃに接する面３２の２つの面から成り、これらの面の境界線を挟んで対称な形状を有している。注出支片３０の面３１の、側壁との境界部分には挿入孔３１１が設けられている。この注出支片３０は、面３１を折れ線Ｂに沿って折りながら折れ線１０Ａ、１０Ｃに沿って面３１、３２を内側に折ることにより、面３１を下に、面３２を上にして折り畳むことが可能である。また、右半片１１と中板１３には、面３１、３２と同じ形状の切り抜き（切り抜き部１１２、１３２）が設けられ、蓋フラップ１４の、注出支片３０に対応する位置にある角部３３には折れ線Ｃが設けられている。その他の構成は第１実施例と同じである。
【００２６】
以下、本実施例の内袋付き容器の使用方法について簡単に説明する。この内袋付き容器では、外箱１の蓋フラップ１４と中板１３をこの順に開き、それから右半片１１と左半片１２を左右に開き、更に注出支片３０を立てる。そうして現れた内袋２の上部の隅部を切断して注出口２１を形成し、注出口２１を注出支片３０に載せる。
【００２７】
それから右半片１１と左半片１２を閉じ、次いで中板１３を閉じ、最後に蓋フラップ１４を閉じて舌片１４１を差し込み口１２１、１３１に差し込み、蓋フラップ１４の角部３３を折れ線Ｃに沿って上方に折り曲げる（図４(a)）。図４(b)及び(c)に示すように注出口２１は注出支片３０に載置されているため、この状態の外箱１ごと内袋２を傾ければ、内袋２内に収容された内容物２２を注出支片３０から注ぎ出すことができる（図４(d)）。これにより、内袋２から直接内容物を注ぎ出すよりも、注出位置のずれや液だれ等が生じにくくなる。
【００２８】
その後は、注出支片３０に載置された注出口２１を、注出支片３０の面３１に設けられた挿入孔３１１に挿入し（図５(a)）、注出支片３０を折り畳んで、その上から蓋フラップ１４の角部３３を重ねる。これにより、注出口２１に封がされる。
【００２９】
再び内容物を取り出したいときには、蓋フラップ１４の角部３３を折り曲げ、注出支片３０を立て、挿入孔３１１から注出口２１を抜き、注出口２１を注出支片３０に載せれば良い。本実施例の内袋付き容器では、第１実施例のもののように、使用するたびに蓋フラップ１４と中板１３を開く必要がないため、第１実施例の内袋付き容器よりも利便性が高い。
【００３０】
この内袋付き容器を接着剤の容器として用いる場合、ヘラを収容できるようにすることが望ましい。例えば、図６(a)に示すように、右半片１１と左半片１２にそれぞれ左右対称な切り込み４０を設けることにより、図６(b)に示すような台形状のヘラ４１の下底両端の角部をそれぞれ該切り込み４０に差し込み、収容することができる。
【符号の説明】
【００３１】
１…外箱
２…内袋
１０Ａ〜１０Ｄ…折れ線
１１…右半片
１２…右半片
１３…中板
１４…蓋フラップ（天板）
２１…注出口
２２…内容物（流動体）
３０…注出支片
３１、３２…面
３３…角部
１１１、３１１…挿入孔
１１２、１３２…切り抜き部
１２１、１３１…差し込み口
１４１…舌片
４０…切り込み
４１…ヘラ
【図１】
2014227223.tif 000003
【図２】
2014227223.tif 000004
【図３】
2014227223.tif 000005
【図４】
2014227223.tif 000006
【図５】
2014227223.tif 000007
【図６】
2014227223.tif 000008